(57)【要約】【課題】  ディスク装置のピックアップ制御装置の電路の引廻しに要するスペースを狭くする。製作の容易な配線基板ユニットを用いてピックアップ制御装置を構成する。【解決手段】  配線基板ユニット１００は、センサー搭載基板４と中継基板６とをフレキシブルケーブル７で接続する。センサー搭載基板４をシャーシ１に起立姿勢で固着し、フレキシブルケーブル７の他端部を別の配線基板に接続する。中継基板６にモータ２のリード線２２を接続する。モータ２の回転軸に取り付けたパターン円板３１に、センサー搭載基板４に搭載したセンサー３２を対峙させる。【選択図】        図１
2005064386.tif 000002
【特許請求の範囲】
【請求項１】
シャーシに取り付けられたモータを回転制御するためのセンサーが搭載されるセンサー搭載基板のセンサー接続パターンに、そのセンサー接続パターンを介して上記センサーと接続されるフレキシブルな引出線が接続されていて、上記センサー搭載基板をシャーシに起立姿勢で固着して上記モータの回転軸線に沿わせることによって、上記モータの回転軸に固着された水平姿勢のパターン円板に、上記センサー搭載基板に搭載された上記センサーが対峙するようになっている配線基板ユニットにおいて、
上記センサー搭載基板に、上記シャーシに水平姿勢で取り付けられる中継基板がフラット状態に連設され、その中継基板に上記モータのリード線が接続されるリード線接続パターンが備わっていると共に、それらのセンサー搭載基板と中継基板との境界部が折曲げ破断可能な脆弱部として形成され、
長手方向中間部に具備された芯線露出箇所が上記センサー搭載基板のセンサー接続パターンに半田付けされてなるフレキシブルケーブルの一端部が上記中継基板のリード線接続パターンに接続されていると共に、そのフレキシブルケーブルの上記芯線露出箇所の半田付け部からそのフレキシブルケーブルの他端部に至る部分が上記引出線に置き換えられ、そのフレキシブルケーブルが、上記脆弱部を跨いで中継基板及びセンサー搭載基板の板面上に重なり状に配備されたフレキシブルフラットケーブルでなることを特徴とする配線基板ユニット。
【請求項２】
シャーシに取り付けられたモータを回転制御するためのセンサーが搭載されるセンサー搭載基板のセンサー接続パターンに、そのセンサー接続パターンを介して上記センサーと接続されるフレキシブルな引出線が接続されていて、上記センサー搭載基板をシャーシに起立姿勢で固着して上記モータの回転軸線に沿わせることによって、上記モータの回転軸に固着された水平姿勢のパターン円板に、上記センサー搭載基板に搭載された上記センサーが対峙するようになっている配線基板ユニットにおいて、
上記センサー搭載基板に、上記シャーシに水平姿勢で取り付けられる中継基板がフラット状態に連設され、その中継基板に上記モータのリード線が接続されるリード線接続パターンが備わっていると共に、それらのセンサー搭載基板と中継基板との境界部が折曲げ破断可能な脆弱部として形成され、
長手方向中間部に具備された芯線露出箇所が上記センサー搭載基板のセンサー接続パターンに半田付けされてなるフレキシブルケーブルの一端部が上記中継基板のリード線接続パターンに接続されていると共に、そのフレキシブルケーブルの上記芯線露出箇所の半田付け部からそのフレキシブルケーブルの他端部に至る部分が上記引出線に置き換えられていることを特徴とする配線基板ユニット。
【請求項３】
シャーシに取り付けられたモータを回転制御するためのセンサーを搭載したセンサー搭載基板が、上記シャーシに、上記モータの回転軸線に沿う起立姿勢で固着され、そのモータの回転軸に固着された水平姿勢のパターン円板に上記センサーが対峙していると共に、上記センサー搭載基板のセンサー接続パターンに、そのセンサー接続パターンを介して上記センサーと接続された引出線が接続されているディスク装置のピックアップ制御装置において、
上記シャーシを折り曲げることによってそのシャーシに水平板部とその水平板部から立ち上がった垂直板部とが形成されていて、その水平板部に上記モータとそのモータのリード線を接続したリード線接続パターンを有する中継基板とが取り付けられ、その垂直板部に上記センサーが嵌合される孔部が備わっていると共に、その垂直板部の背面に上記センサー搭載基板を重なり状に固着して上記センサーを上記孔部に嵌合させることによって、そのセンサーを上記パターン円板に対峙させてあり、
長手方向中間部に具備された芯線露出箇所が上記センサー搭載基板のセンサー接続パターンに半田付けされてなるフレキシブルケーブルの一端部が上記垂直板部の背方に確保したスペースを利用して上記中継基板側に引き出されてその中継基板のリード線接続パターンに接続されていると共に、そのフレキシブルケーブルの上記芯線露出箇所の半田付け部からそのフレキシブルケーブルの他端部に至る部分が上記引出線に置き換えられており、
上記中継基板及び上記センサー搭載基板は、請求項１又は請求項２に記載した配線基板ユニットの脆弱部を折曲げ破断することによって分割形成されていると共に、上記フレキシブルケーブルは、請求項１又は請求項２に記載したフレキシブルケーブルであることを特徴とするディスク装置のピックアップ制御装置。
【請求項４】
シャーシに取り付けられたモータを回転制御するためのセンサーを搭載したセンサー搭載基板が、上記シャーシに、上記モータの回転軸線に沿う起立姿勢で固着され、そのモータの回転軸に固着された水平姿勢のパターン円板に上記センサーが対峙していると共に、上記センサー搭載基板のセンサー接続パターンに、そのセンサー接続パターンを介して上記センサーと接続された引出線が接続されているディスク装置のピックアップ制御装置において、
上記シャーシに、上記モータのリード線を接続したリード線接続パターンを有する中継基板が水平姿勢で取り付けられ、
長手方向中間部に具備された芯線露出箇所が上記センサー搭載基板のセンサー接続パターンに半田付けされてなるフレキシブルケーブルの一端部が上記中継基板側に引き出されてその中継基板のリード線接続パターンに接続されていると共に、そのフレキシブルケーブルの上記芯線露出箇所の半田付け部分からそのフレキシブルケーブルの他端部に至る部分が上記引出線に置き換えられており、
上記中継基板及び上記センサー搭載基板は、請求項１又は請求項２に記載した配線基板ユニットの脆弱部を折曲げ破断することによって分割形成されていると共に、上記フレキシブルケーブルは、請求項１又は請求項２に記載したフレキシブルケーブルであることを特徴とするディスク装置のピックアップ制御装置。
【請求項５】
上記シャーシを折り曲げることによってそのシャーシに水平板部とその水平板部から立ち上がった垂直板部とが形成されていて、水平板部に上記上記モータと中継基板とが取り付けられ、垂直板部に上記センサー搭載基板が取り付けられている請求項４に記載したディスク装置のピックアップ制御装置。
【請求項６】
上記垂直板部に上記センサーが嵌合される孔部が備わり、その垂直板部の背面に上記センサー搭載基板を重なり状に固着して上記センサーを上記孔部に嵌合させることによって、そのセンサーを上記パターン円板に対峙させている請求項５に記載したディスク装置のピックアップ制御装置。
【発明の詳細な説明】
【技術分野】
【０００１】
本発明は、配線基板ユニット、特にフレキシブルケーブルの半田付け作業を容易にするための対策を講じた配線基板ユニットに関する。
また、本発明は、ディスク装置のピックアップ制御装置、特に、上記配線基板ユニットを用いることによって、ディスク装置のピックアップ制御用モータとそのモータを回転制御するためのセンサーとに接続される電路を統合するための対策を講じたディスク装置のピックアップ制御装置に関する。
【背景技術】
【０００２】
ディスク装置では、ディスクの半径方向に沿って走行するピックアップによってディスク記録面が走査されるようになっていて、ピックアップはモータを駆動源として走行し、そのモータの回転制御がセンサーを用いて行われるようになっている。このようなディスク装置のピックアップ制御装置の従来例を図４に概略で示してある。
【０００３】
図４において、１はシャーシで、このシャーシ１に取り付けられたモータ２の回転軸２１がシャーシ１の上方へ突出していると共に、その回転軸２１にギヤ付きパターン円板３１が水平姿勢で固着されている。このパターン円板１は、たとえば、放射状に配列された多数のスリットを備えた円板体でなる。これに対し、シャーシ１には、モータ２の回転軸線Ｌに沿う起立姿勢でセンサー搭載基板４が固着されている。このセンサー搭載基板４には、上記パターン円板３１に対峙する光学式センサー３２が搭載されていて、このセンサー３２によって形成される光路の方向が上記パターン円板３１に対して垂直になっている。
【０００４】
他の従来例として、２つのフレキシブル配線基板のパターン同士をコネクタを介して直角に接続することが知られていた（特許文献１参照）。
【０００５】
さらに他の従来例として、硬質基板にフレキシブル基板を直角に接続する場合に、フレキシブル基板の中間部で芯線を露出させ、その芯線露出箇所を硬質基板のパターンに半田付けすることが知られていた（特許文献２参照）。
【０００６】
さらに他の従来例として、２つの硬質基板の相互間にフレキシブル基板を介在させ、そのフレキシブル基板を変形させて回路パターンの断線などを防ぐようにしたものがあった（特許文献３参照）。
【０００７】
【特許文献１】特開２０００−１２３８９２号公報
【特許文献２】特開２００２−２７０９８１号公報
【特許文献３】特開平８−２９８３６４号公報
【発明の開示】
【発明が解決しようとする課題】
【０００８】
しかしながら、図４で説明したように、センサー３２によって形成される光路の方向をパターン円板３１に対して垂直に定めることが要求されるディスク装置のピックアップ制御装置では、センサー３２を搭載したセンサー搭載基板４をシャーシ１に起立姿勢で固着しておくことが要求される。この要求に応えるため、従来は、図４のように、シャーシ１をモータ２の設置箇所よりも側方に延出させ、その延出部分１２に、センサー搭載基板４を取り付けたホルダー５をビス止めなどの手段で固定することを余儀なくされていた。
【０００９】
また、図４で説明した従来のピックアップ制御装置においては、モータ２のリード線２２をシャーシ１の下側から上側に引き出すことによってそのリード線２２をセンサー搭載基板４から引き出されている引出線４１と共に束ねて別場所に配備されている配線基板（不図示）に接続するという引廻し形態を採用することが望まれていて、そのようにすると、それらのリード線２２や引出線４１の引廻しに要するスペースが狭くて済むので好ましい、ということが判っていたのであるけれども、そのようにすると、リード線２２がシャーシ１の延出部分１２の端縁のエッジや、リード線２２を延出部分１２に開設したリード線挿通用の開口に通す場合にはその開口の口縁のエッジと擦れ合うという事態が起こり得るので、リード線２２の被覆が剥がれたり断線したりするというおそれが多分にあった。そのため、従来は、リード線２２を、シャーシ１の下側に配備した配線基板（不図示）に接続し、引出線４１をシャーシ１の上側に配備した配線基板（不図示）に接続することを余儀なくされ、そのために、リード線２２の引廻しスペースやリード線２２を接続する配線基板が余分に必要になり、そのことが部品コストや組立コストを安く抑えることの障害になっていた。
【００１０】
これらの状況は、上掲の特許文献１〜３に記載されている技術によっては到底改善されない。
【００１１】
本発明は以上の状況に鑑みてなされたものであり、シャーシにモータとセンサー搭載基板とが取り付けられてなるピックアップ制御装置の電路の引廻しに要するスペースを狭く抑えることが可能であり、しかも、容易に製作することのできる配線基板ユニットを提供することを目的とする。
【００１２】
また、本発明は、ディスク装置のピックアップ制御用モータとそのモータを回転制御するためのセンサーとに接続される電路を統合することによって電路の引廻しに要するスペースを狭く抑えることなどが可能になり、しかも、図４で説明したホルダーを用いずにセンサー搭載基板をシャーシに起立姿勢で固着することが可能になるディスク装置のピックアップ制御装置を提供することを目的とする。
【課題を解決するための手段】
【００１３】
本発明に係る配線基板ユニットは、シャーシに取り付けられたモータを回転制御するためのセンサーが搭載されるセンサー搭載基板のセンサー接続パターンに、そのセンサー接続パターンを介して上記センサーと接続されるフレキシブルな引出線が接続されていて、上記センサー搭載基板をシャーシに起立姿勢で固着して上記モータの回転軸線に沿わせることによって、上記モータの回転軸に固着された水平姿勢のパターン円板に、上記センサー搭載基板に搭載された上記センサーが対峙するようになっている配線基板ユニットにおいて、上記センサー搭載基板に、上記シャーシに水平姿勢で取り付けられる中継基板がフラット状態に連設され、その中継基板に上記モータのリード線が接続されるリード線接続パターンが備わっていると共に、それらのセンサー搭載基板と中継基板との境界部が折曲げ破断可能な脆弱部として形成され、長手方向中間部に具備された芯線露出箇所が上記センサー搭載基板のセンサー接続パターンに半田付けされてなるフレキシブルケーブルの一端部が上記中継基板のリード線接続パターンに接続されていると共に、そのフレキシブルケーブルの上記芯線露出箇所の半田付け部からそのフレキシブルケーブルの他端部に至る部分が上記引出線に置き換えられている、というものである。
【００１４】
この配線基板ユニットによれば、脆弱部を折曲げ破断することによって、シャーシに水平姿勢で取り付けられる中継基板と、シャーシに起立姿勢で固着されるセンサー搭載基板とが得られ、しかも、それらの各基板のリード線接続パターンとセンサー接続パターンとはフレキシブルケーブルによって接続されている。したがって、中継基板のリード線接続パターンにモータのリード線を接続するだけで、モータのリード線が、中継基板のリード線接続パターンと、フレキシブルケーブルと、センサー搭載基板のセンサー接続パターンとを介して引出線に接続されるようになる。しかも、引出線が、フレキシブルケーブルの芯線露出箇所の半田付け部からそのフレキシブルケーブルの他端部に至る部分によって置き換えられているので、モータやセンサーにつながる電路が、フレキシブルケーブルや上記各パターンにより統合されてピックアップ制御装置の電路の引廻しに要するスペースを狭く抑えることが可能になる。すなわち、リード線と引出線とを別々の場所で引き廻す必要がなくなる。
【００１５】
また、この配線基板ユニットは、脆弱部によってフラット状態に連設された中継基板とセンサー搭載基板との各パターンに、フレキシブルケーブルを接続することによって製作することができるので、その製作が容易であってそれだけ製作コストを安く抑えることが可能である。
【００１６】
本発明に係る配線基板ユニットは、上記構成に加えて、フレキシブルケーブルが、上記脆弱部を跨いで中継基板及びセンサー搭載基板の板面上に重なり状に配備されたフレキシブルフラットケーブルでなる、という構成を採用することが可能であり、そのようにすると、モータやセンサーにつながる電路の引回しに要するスペースをいっそう狭くすることが可能になる。また、上記芯線露出箇所の半田付け作業は、中継基板とセンサー搭載基板との上にフレシキブルフラットケーブルを重ね合わせた状態で容易に行うことが可能になる。
【００１７】
本発明に係るディスク装置のピックアップ制御装置は、シャーシに取り付けられたモータを回転制御するためのセンサーを搭載したセンサー搭載基板が、上記シャーシに、上記モータの回転軸線に沿う起立姿勢で固着され、そのモータの回転軸に固着された水平姿勢のパターン円板に上記センサーが対峙していると共に、上記センサー搭載基板のセンサー接続パターンに、そのセンサー接続パターンを介して上記センサーと接続された引出線が接続されているディスク装置のピックアップ制御装置において、上記シャーシに、上記モータのリード線を接続したリード線接続パターンを有する中継基板が水平姿勢で取り付けられ、長手方向中間部に具備された芯線露出箇所が上記センサー搭載基板のセンサー接続パターンに半田付けされてなるフレキシブルケーブルの一端部が上記中継基板側に引き出されてその中継基板のリード線接続パターンに接続されていると共に、そのフレキシブルケーブルの上記芯線露出箇所の半田付け部分からそのフレキシブルケーブルの他端部に至る部分が上記引出線に置き換えられており、上記中継基板及び上記センサー搭載基板は、請求項１又は請求項２に記載した配線基板ユニットの脆弱部を折曲げ破断することによって分割形成されていると共に、上記フレキシブルケーブルは、請求項１又は請求項２に記載したフレキシブルケーブルである、というものである。
【００１８】
このものによっても、モータのリード線が、中継基板のリード線接続パターンと、フレキシブルケーブルと、センサー搭載基板のセンサー接続パターンとを介して引出線に接続されていて、しかも、引出線が、フレキシブルケーブルの芯線露出箇所の半田付け部からそのフレキシブルケーブルの他端部に至る部分によって置き換えられているので、モータやセンサーにつながる電路が、フレキシブルケーブルや上記各パターンにより統合されてピックアップ制御装置の電路の引廻しに要するスペースが狭くなる。
【００１９】
本発明では、上記シャーシを折り曲げることによってそのシャーシに水平板部とその水平板部から立ち上がった垂直板部とが形成されていて、水平板部に上記上記モータと中継基板とが取り付けられ、垂直板部に上記センサー搭載基板が取り付けられていることが望ましい。また、上記垂直板部に上記センサーが嵌合される孔部が備わり、その垂直板部の背面に上記センサー搭載基板を重なり状に固着して上記センサーを上記孔部に嵌合させることによって、そのセンサーを上記パターン円板に対峙させていることが望ましい。これらの各発明によれば、図４で説明したホルダー５を用いずにセンサー搭載基板をシャーシに起立姿勢で取り付けることが可能になる。
【００２０】
本発明に係るディスク装置のピックアップ制御装置では、次の構成、すなわち、シャーシに取り付けられたモータを回転制御するためのセンサーを搭載したセンサー搭載基板が、上記シャーシに、上記モータの回転軸線に沿う起立姿勢で固着され、そのモータの回転軸に固着された水平姿勢のパターン円板に上記センサーが対峙していると共に、上記センサー搭載基板のセンサー接続パターンに、そのセンサー接続パターンを介して上記センサーと接続された引出線が接続されているディスク装置のピックアップ制御装置において、上記シャーシを折り曲げることによってそのシャーシに水平板部とその水平板部から立ち上がった垂直板部とが形成されていて、その水平板部に上記モータとそのモータのリード線を接続したリード線接続パターンを有する中継基板とが取り付けられ、その垂直板部に上記センサーが嵌合される孔部が備わっていると共に、その垂直板部の背面に上記センサー搭載基板を重なり状に固着して上記センサーを上記孔部に嵌合させることによって、そのセンサーを上記パターン円板に対峙させてあり、長手方向中間部に具備された芯線露出箇所が上記センサー搭載基板のセンサー接続パターンに半田付けされてなるフレキシブルケーブルの一端部が上記垂直板部の背方に確保したスペースを利用して上記中継基板側に引き出されてその中継基板のリード線接続パターンに接続されていると共に、そのフレキシブルケーブルの上記芯線露出箇所の半田付け部からそのフレキシブルケーブルの他端部に至る部分が上記引出線に置き換えられており、上記中継基板及び上記センサー搭載基板は、請求項１又は請求項２に記載した配線基板ユニットの脆弱部を折曲げ破断することによって分割形成されていると共に、上記フレキシブルケーブルは、請求項１又は請求項２に記載したフレキシブルケーブルである、という構成を採用することも可能である。この発明の作用については、後述する実施形態を参照して詳細に説明する。
【発明の効果】
【００２１】
本発明に係る配線基板ユニットによれば、シャーシにモータとセンサー搭載基板とが取り付けられてなるピックアップ制御装置の電路の引廻しに要するスペースを狭く抑えることが可能である上、製作も容易である。
【００２２】
本発明に係るディスク装置のピックアップ制御装置によれば、ディスク装置のピックアップ制御用モータとそのモータを回転制御するためのセンサーとに接続されるそれぞれの電路が統合されてその電路の引廻しに要するスペースが狭く抑えられ、しかも、図４で説明したホルダーを用いずにセンサー搭載基板をシャーシに起立姿勢で固着することも可能になる。そのため、ピックアップ制御装置の必要部品点数が削減され、部品コストや製作コストが安く抑えられる。また、モータのリード線がシャーシのエッジに擦れ合うという事態を防いで、リード線の被覆が剥がれたり断線したりするというおそれを無くすることが可能である。これらのことから、このピックアップ制御装置によれば、小形化や電気的性能の向上を図り安いという利点がある。
【発明を実施するための最良の形態】
【００２３】
図１は本発明に係るディスク装置のピックアップ制御装置を例示した部分縦断正面図、図２は本発明に係る配線基板ユニットを説明的に示した平面図、図３は同配線基板ユニットの変形例を説明的に示した平面図である。
【００２４】
図１において、シャーシ１には、その所定箇所を直角に折り曲げることによって水平板部１３とその水平板部１３の端部から立ち上がった垂直板部１４とが形成されていて、水平板部１３に中継基板６が重ね合わせて取り付けられている。また、この水平板部１３にモータ２が取り付けられていて、このモータ２の回転軸２１が水平板部１３と中継基板６とに形成された孔部１３ａ，６ａとに貫挿されて中継基板６の上方へ突出されていると共に、その回転軸２１に、ギヤ付きパターン円板３１が水平姿勢で固着されている。さらに、中継基板６には、モータ２のリード線２２が接続されたリード線接続パターンが備わっている。なお、ギヤ３３は、ディスク装置のピックアップに走行力を伝達するための歯車列の始段に位置するギヤに相当している。
【００２５】
これに対し、垂直板部１４には、孔部１５が備わっている。そして、垂直板部１４の背面に重なり状にセンサー搭載基板４が固着されていると共に、そのセンサー搭載基板４に搭載されているセンサー３２を、上記孔部１５に嵌合させることによって、そのセンサー３２を上記パターン円板３１に対峙させてある。このように、垂直板部１４を利用してセンサー搭載基板４をシャーシ１に起立姿勢で取り付けたことによって、図４で説明したホルダー５が不要になった。
【００２６】
次に、７はフレキシブルフラットケーブルでなるフレキシブルケーブルである。このフレキシブルケーブル７は、その長手方向中間部で被覆を剥がして形成した芯線露出箇所７１をセンサー搭載基板４に備わっているセンサー接続パターンに半田付け７１ａしてある。また、フレキシブルケーブル７の一端部７２が上記垂直板部１４の背方に確保されているスペースＳを利用して下方の中継基板６側へ引き出されていて、その一端部７２で露出した芯線が中継基板６の上記リード線接続パターンに半田付け７２ａされている。具体的には、中継基板６は、垂直板部１４の根元に形成されたスリット状の開口１６を挿通して上記スペースＳに突出しており、フレキシブルケーブル７の一端部７２の芯線は、開口１６からスペースＳに突出している中継基板６の突出部分で上記リード線接続パターンに半田付け７２ａされている。したがって、モータ２のリード線２２やフレキシブルケーブル７がシャーシ１のエッジに擦れ合ってそれらの被覆が剥がれたり断線を生じたりするおそれはない。これに対し、フレキシブルケーブル７の芯線露出箇所７１の半田付け部（半田付け７１ａを施した箇所）からそのフレキシブルケーブル７の他端部７３に至る部分（以下「他端側部分」という）７４が、センサー搭載基板４から引き出されている。そして、この他端側部分７４が図４で説明した引出線４１に置き換えられていて、その引出線４１と同様の機能を担うようになっている。
【００２７】
以上のように構成されたピックアップ制御装置では、モータ２を回転制御するためのセンサー３２を搭載したセンサー搭載基板４が、モータ２の回転軸線に沿う起立姿勢で固着されていて、水平姿勢のパターン円板３１にセンサー３２が対峙している。また、センサー搭載基板４のセンサー接続パターンに、そのセンサー接続パターンを介してセンサー３２と接続された引出線の代用としての上記他端側部分７４が接続されている。
【００２８】
また、このピックアップ制御装置では、モータ２のリード線２２につながる電路が、中継基板６のリード線接続パターンと、フレキシブルケーブル７と、センサー搭載基板４のセンサー接続パターンとを介して引出線の代用である上記他端側部分７４とによって形成され、しかも、センサー３２につながる電路がセンサー接続パターンと上記他端側部分７４とによって形成されているので、リード線２２やセンサー３２につながる電路がフレキシブルケーブル７や上記各パターンにより１系統のものとして統合されている。そのため、リード線７の他端部７３を１つの配線基板（不図示）に接続するだけで、リード線２２やセンサー３２につながる電路が形成されるようになり、図４で説明した従来例のようにリード線２２と引出線４１とを別々の配線基板に接続するという事態を回避することが可能になり、そのことによって、ピックアップ制御装置の電路の引廻しに要するスペースが狭く抑えられるようになる。
【００２９】
次に、図２を参照して配線基板ユニット１００を説明する。
【００３０】
この配線基板ユニット１００は、センサー搭載基板４に中継基板６がフラット状態に連設されていて、それらのセンサー搭載基板４と中継基板６との境界部が折曲げ破断可能な脆弱部１０１として形成されている。脆弱部１０１は、センサー搭載基板４と中継基板６とを手指で掴んで折り曲げることによって破断されるようになっていればどのような構成のものでもよいけれども、図例では、センサー搭載基板４と中継基板６とを複数箇所で連結する折曲げ破断可能なタイバーによって形成してある。この他、脆弱部１０１を、センサー搭載基板４及び中継基板６よりも薄肉に形成して折曲げ破断可能としておいても、折曲げ破断可能なミシン目構造として形成してもよい。
【００３１】
図１で説明したように、センサー搭載基板４は、モータ２を回転制御するためのセンサー３２を搭載可能であり、モータ２の回転軸線に沿って起立姿勢でシャーシ１の垂直板部１４に固着される基板である。そして、このセンサー搭載基板４を垂直板部１４に固着すると、上述したようにモータ２の回転軸２１に固着された水平姿勢のパターン円板３１にセンサー３２が対峙する。センサー搭載基板４には、センサー３２が接続されるセンサー接続パターンが備わっている。中継基板６は、シャーシ１の水平板部１３に水平姿勢で取り付けられる基板である。この中継基板６には、モータ２のリード線２２が接続されるリード線接続パターンが備わっている。
【００３２】
図２によって類推できるように、センサー搭載基板４のセンサー接続パターンには、フレキシブルフラットケーブルでなるフレキシブルケーブル７の長手方向中間部に具備された芯線露出箇所７１が半田付け７１ａ（図１参照）されている。そして、そのフレキシブルケーブル７の一端部７２で芯線が中継基板６のリード線接続パターンに半田付け７２ａ（図１参照）で接続されていると共に、そのフレキシブルケーブル７の芯線露出箇所７１の半田付け部からそのフレキシブルケーブル７の他端部７３に至る他端側部分７４が、センサー搭載基板４から引き出されている。この他端側部分７４は、図４で説明した引出線４１に置き換えられる部分である。また、フレキシブルケーブル７は、上記脆弱部１０１を跨いで中継基板６及びセンサー搭載基板４の板面上に重なり状に配備されている。この配線基板ユニット１００は、脆弱部１０１を折曲げ破断することによって中継基板６とセンサー搭載基板４とに分割された状態で、図１で説明した構造でそれぞれがシャーシ１に固着される。
【００３３】
この実施形態の配線基板ユニット１００では、フレキシブルケーブル７を脆弱部１０１によってフラットに連結されている中継基板６とセンサー搭載基板４の上に重ねて置き、その状態で芯線露出箇所７１や一端部７２の芯線を半田付けすることができるため、半田付け作業が容易になるという利点がある。
【００３４】
図３は配線基板ユニット１００の変形例を示している。このものにおいて、図２のものと異なる点は、フレキシブルケーブル７の芯線露出箇所７１を折り返した状態でセンサー搭載基板４のセンサー接続パターンに半田付けしてある点、フレキシブルケーブル７の他端側部分を、その中間部７５で直角に折り返することによって、フレキシブルケーブル７の全体をＴ形に保形してある点だけであり、その他の点は図２のものと同様である。したがって、同一部分に同一符号を付して説明を省略することにより、説明の重複を回避することにする。
【図面の簡単な説明】
【００３５】
【図１】本発明に係るディスク装置のピックアップ制御装置を例示した部分縦断正面図である。
【図２】本発明に係る配線基板ユニットを説明的に示した平面図である。
【図３】同配線基板ユニットの変形例を説明的に示した平面図である。
【図４】従来のディスク装置のピックアップ制御装置を例示した部分縦断正面図である。
【符号の説明】
【００３６】
１  シャーシ
２  モータ
４  センサー搭載基板
６  中継基板
１３  水平板部
１４  垂直板部
１５  孔部
２２  リード線
３１  パターン円板
３２  センサー
４１  引出線
７１  芯線露出箇所
７２  フレキシブルケーブルの一端部
７３  フレキシブルケーブルの他端部
１００  配線基板ユニット
１０１  脆弱部
Ｓ  スペース
【図１】
2005064386.tif 000003
【図２】
2005064386.tif 000004
【図３】
2005064386.tif 000005
【図４】
2005064386.tif 000006